【事件の表示】
　平成　８年特許願第　９２９５６号「ベルト張力の電磁式自動調整装置」拒絶査定不服審判事件〔平成　９年　９月３０日出願公開、特開平　９−２５７１０９〕について、次のとおり審決する。
【結　論】
　本件審判の請求は、成り立たない。
【理　由】
１．手続の経緯
　本願は、平成８年３月２５日の出願であって、平成１８年８月７日付けで拒絶査定がなされ、これに対し、平成１８年９月１４日に審判請求がなされたものである。
　
２．本願発明
　本願の請求項１〜３に係る発明は、平成１８年６月１６日付け手続補正により補正された明細書及び図面の記載からみて、その特許請求の範囲の請求項１〜３に記載された事項により特定されるとおりのものであり、その請求項１に係る発明（以下、「本願発明」という。）は以下のとおりのものである。
「【請求項１】　ベルトを駆動側のプーリと従動側のプーリ側に亙って設けて回転力を伝達する回転駆動機構において、
　上記駆動側のプーリと従動側プーリが対向配置される中間位置に設けられる垂直方向に延びる支持体、
　この支持体の長手方向に上記ベルトに対して直交方向及び上記ベルトと同方向に夫々に設けた第１及び第２の長孔、
　滑車本体部分の両側に軸を設けた滑車、
　上記滑車の軸をばねを介して装着された磁性体より成る可動体、
　この可動体を吸引する電磁石を備え、
　上記第１の長孔に滑車の軸を挿入し、第２の長孔内に滑車の本体部分を収納し、この滑車の本体部分を第２の長孔内を通過するベルトの上面に当接し、上記電磁石を励磁することにより、ばねのばね圧に抗して可動体を、上記滑車が上記ベルトに付勢する方向に吸引することによって、上記滑車の本体部分が引張られ、上記ベルトが押圧されて、上記ベルトに対して張力を付与するようにしたことを特徴とするベルト張力の電磁式自動調整装置。」
　
３．本願発明について
（１）本願発明
　本願発明は、上記「２．本願発明」に記載したとおりである。
（２）引用例
（２−１）引用例１
　実願昭５５−２７３６９号（実開昭５６−１２９６４０号）のマイクロフィルム（以下、「引用例１」という。）には、下記の事項が図面とともに記載されている。
（あ）「本考案はベルト伝動装置におけるベルト張力調整装置の改良に関する。」（明細書第１頁第１８〜１９行参照）
（い）「基体２に回転自在に支持された３つのプーリ４，６および８にはＶベルト１０が張架されている。長孔１２を有するブラケツト１４は，同長孔１２を貫通して基体２に螺着されるボルト１６によつて，基体２に固定され，また同ブラケツト１４に形成されたフランジ１８には，先端に基体２に形成された穴に嵌合する小径部２０を有する調整用ボルト２２が螺合され，同ボルト２２にはロツクナツト２４が螺合され，ブラケツト１４の基体２に対する図における左右方向の位置を調整できるように構成されている。同ブラケツト１４に図において左右方向に摺動自在に取付けられたスライダ部材２６にはベルト１０に当接する張力調整用プーリ２８を回転自在に支持する軸部材３０が固定され，更に同軸部材３０はブラケツト１４に形成された長孔３２に嵌装されて図において左右方向に移動できるように構成されている。同軸部材３０に固定された係合部材３４とブラケツト１４に形成された係合部材３６との間にはコイルスプリング３８が張設され，張力調整用プーリ２８をベルト１０の張力が増す方向に付勢せしめている。」（明細書第４頁第１６行〜第５頁第１７行参照）
（う）「上記構成によれば，ベルト１０の張力の調整作業は，図示の状態からボルト１６およびロツクナツト２４を緩め，スライダ２６の図における右端と目盛４０との相対位置を見ながら調整用ボルト２２を回動し，同スライダ２６の右端が目盛４０のうちの設定目盛に達したところ，すなわち，コイルスプリング３８の変位量が設定値に達したところで，ボルト１６を締付けてブラケツト１４を基体２に固定せしめると共に，ロツクナツト２４も締付けて調整用ボルト２２をブラケツト１４に対して固定せしめることにより行なわれる。」（明細書第６頁第１２行〜第７頁第３行参照）
　以上の記載事項及び図面からみて、引用例１には、下記の発明（以下、「引用例１発明」という。）が記載されているものと認められる。
「Ｖベルト１０を３つのプーリ４、６、及び８に張架したベルト伝動装置において、
　プーリ６とプーリ８が対向配置される中間位置に設けられるブラケツト１４、
　このブラケツト１４の長手方向にベルト１０に対して直交方向に設けた長孔３２、
　張力調整用プーリ２８の両側に軸部材３０を設けた軸部材３０付き張力調整用プーリ２８、
　軸部材３０に固定された係合部材３４とブラケツト１４に形成された係合部材３６との間に張設されたコイルスプリング３８を備え、
　ブラケツト１４に左右方向に摺動自在に取付けられたスライダ部材２６に軸部材３０が固定され、更に同軸部材３０はブラケツト１４に形成された長孔３２に嵌装され、張力調整用プーリ２８をＶベルト１０に当接し、コイルスプリング３８のばね圧に抗してブラケツト１４を、軸部材３０付き張力調整用プーリ２８がＶベルト１０に付勢する方向に位置調整することによって、張力調整用プーリ２８が引張られ、Ｖベルト１０が押圧されて、Ｖベルト１０に対して張力を付与するようにしたベルト張力調整装置。」
（２−２）引用例２
　実願昭６３−１６５８９５号（実開平２−８５０６１号）のマイクロフィルム（以下、「引用例２」という。）には、下記の事項が図面とともに記載されている。
（か）「この考案は、例えば複写機、ファクシミリ等のように駆動ギヤ等にチェーンあるいはベルトで駆動力を伝達する駆動伝達装置、特にチェーンあるいはベルトの伸びによる伝達不具合の防止に関するものである。」（明細書第１頁第１５〜１９行参照）
（き）「このような駆動系では…チェーン４やベルト５の経時的な伸びを防止するためにチェーン４やベルト５に張り車７を押付けてチェーン４やベルト５に張力を与えている。…張り車７は駆動系本体の軸８に回動自在に取付けられた支持部材９の先端部に取付けられている。」（明細書第２頁第６〜１４行参照）
（く）「１２は駆動伝達装置の本体に取付けられたソレノイド、１３はソレノイド１２の可動鉄心に取付けられたスプリング固定部材であり、スプリング１１がスプリング固定部材１３と張り車７を先端部に有する支持部材９との間に取付けられている。」（明細書第４頁第１９行〜第５頁第４行参照）
（け）「上記のように、スプリング１１の引張力が加えられた張り車７がチェーン４に押付けられて、スプリング１１の引張力でチェーン４に一定の張力を与えている。この状態で第３図に示すようにメインモータ６でチェーン４を駆動して駆動ギヤ２等を回転している。そして、このチェーン４の駆動中にチェーン４が若干伸びるとスプリング１１の引張力でチェーン４の伸びを吸収してチェーン４に一定の張力が加えられるようになっている。
　この駆動系を長期間使用してチェーン４に一定量以上の伸びが生じ、第２図に示すように張り車７がソレノイド１２方向に大きく変移すると、遮蔽板１４が位置検出センサ１５に接近し、位置検出センサ１５が遮蔽板１４を検出する。位置検出センサ１５が遮蔽板１４を検出すると位置検出センサ１５から検出信号がソレノイド制御手段１６に送られる。ソレノイド制御手段１６は検出信号を受けるとソレノイド１２に励磁電流を流してソレノイド１２を付勢し、スプリング固定部材１３を矢印Ａ方向に吸引する。このためスプリング１１の初期固定位置が移動してスプリング１１に初期動作時と同様な引張力をあたえて張り車７によりチェーン４に張力を加える。」（明細書第５頁第１１行〜第６頁第１３行）
　以上の記載事項及び図面からみて、引用例２には、下記の発明（以下、「引用例２発明」という。）が記載されているものと認められる。
「ベルトで駆動力を伝達する駆動伝達装置において、
　張り車７は駆動系本体の軸８に回動自在に取付けられた支持部材９の先端部に取付けられており、
　スプリング１１がスプリング固定部材１３と張り車７を先端部に有する支持部材９との間に取付けられていて、ベルト５に張り車７を押付けてベルト５に張力を与えており、
　スプリング固定部材１３は駆動伝達装置の本体に取付けられたソレノイド１２の可動鉄心に取付けられており、
　駆動系を長期間使用してベルト５に一定量以上の伸びが生じ、張り車７がソレノイド１２方向に大きく変移すると、ソレノイド１２に励磁電流を流してソレノイド１２を付勢してスプリング固定部材１３を吸引し、これによってスプリング１１の初期固定位置を移動させてスプリング１１に初期動作時と同様な引張力をあたえて張り車７によりベルト５に張力を加える駆動伝達装置。」
（３）対比
　本願発明と引用例１発明とを比較すると、引用例１発明の「Ｖベルト１０」は本願発明の「ベルト」に相当し、以下、同様に「３つのプーリ４、６、及び８に張架した」はプーリ６とプーリ８に張架している点で「プーリとプーリに亙って設けた」に、「ベルト伝動装置」は「回転力を伝達する回転駆動機構」に、「ブラケツト１４」は「支持体」に、「長孔３２」は「第１の長孔」に、「張力調整用プーリ２８」は「滑車本体部分」に、「軸部材３０」は「軸」に、「軸部材３０付き張力調整用プーリ２８」は「滑車」に、「嵌装し」は「挿入し」に、「ベルト張力調整装置」は「ベルト張力」の「自動調整装置」にそれぞれ相当する。
　したがって、本願発明の用語に倣って整理すると、両者は、
「ベルトをプーリとプーリに亙って設けて回転力を伝達する回転駆動機構において、
　上記プーリとプーリが対向配置される中間位置に設けられる延びる支持体、
　この支持体の長手方向に上記ベルトに対して直交方向に設けた第１の長孔、
　滑車本体部分の両側に軸を設けた滑車、
　上記第１の長孔に滑車の軸を挿入し、この滑車の本体部分をベルトに当接し、上記ベルトに対して張力を付与するようにしたベルト張力の自動調整装置。」である点で一致し、以下の点で相違している。
［相違点１］
　本願発明は、「ベルトを駆動側のプーリと従動側のプーリ側に亙って」設けるのに対し、引用例１発明は、「Ｖベルト１０を３つのプーリ４、６、及び８に張架した」ものである点。
［相違点２］
　本願発明は、「上記駆動側のプーリと従動側プーリが対向配置される中間位置に設けられる垂直方向に延びる支持体」という事項を具備しているのに対し、引用例１発明は、「プーリ６とプーリ８が対向配置される中間位置に設けられるブラケツト１４」を具備したものである点。
［相違点３］
　本願発明は、「支持体の長手方向に上記ベルトに対して直交方向及び上記ベルトと同方向に夫々に設けた第１及び第２の長孔」という事項を具備し、「上記第１の長孔に滑車の軸を挿入し、第２の長孔内に滑車の本体部分を収納」して「上記滑車の軸をばねを介して装着」しているのに対し、引用例１発明は、「ブラケツト１４の長手方向にベルト１０に対して直交方向に設けた長孔３２」を具備し、「ブラケツト１４に左右方向に摺動自在に取付けられたスライダ部材２６に軸部材３０が固定され、更に同軸部材３０はブラケツト１４に形成された長孔３２に嵌装」され、長孔３２に嵌装された軸部材３０にコイルスプリング３８を張設したものである点。
［相違点４］
　本願発明は、「上記滑車の軸をばねを介して装着された磁性体より成る可動体」、及び「この可動体を吸引する電磁石」を備え、「この滑車の本体部分を第２の長孔内を通過するベルトの上面に当接し、上記電磁石を励磁することにより、ばねのばね圧に抗して可動体を、上記滑車が上記ベルトに付勢する方向に吸引することによって、上記滑車の本体部分が引張られ、上記ベルトが押圧されて、上記ベルトに対して張力を付与する」ようにした「ベルト張力の電磁式自動調整装置」であるのに対し、引用例１発明は、「軸部材３０に固定された係合部材３４とブラケツト１４に形成された係合部材３６との間に張設されたコイルスプリング３８」を備え、「張力調整用プーリ２８をＶベルト１０に当接し、コイルスプリング３８のばね圧に抗してブラケツト１４を、軸部材３０付き張力調整用プーリ２８がＶベルト１０に付勢する方向に位置調整することによって、張力調整用プーリ２８が引張られ、Ｖベルト１０が押圧されて、Ｖベルト１０に対して張力を付与する」ようにした「ベルト張力調整装置」である点。
（４）判断
［相違点１］について
　引用例１発明の「３つのプーリ４、６、及び８に張架した」という事項はプーリ６とプーリ８に張架している点で「プーリとプーリに亙って設けた」に相当することは、上記のとおりである。そして、３つのプーリ４、６、及び８のどれを駆動側のプーリとし、どれを従動側のプーリとするかは適宜設計する事項であり、プーリ６とプーリ８の一方（例えばプーリ６）を駆動側のプーリ、他方（例えばプーリ８）を従動側のプーリとすることは当業者が容易に想到し得たものと認められる。
［相違点２］について
　プーリ６とプーリ８の一方（例えばプーリ６）を駆動側のプーリ、他方（例えばプーリ８）を従動側のプーリとすることは当業者が容易に想到し得たものと認められることは、上記のとおりである。また、引用例１発明の「ベルト張力調整装置」の垂直水平方向の配置は適宜設計する事項であり、ブラケット１４を垂直方向に延びるようにすることは当業者が容易に想到し得たものと認められる。
　以上のようにしたものが、実質的に、「上記駆動側のプーリと従動側プーリが対向配置される中間位置に設けられる垂直方向に延びる支持体」という事項を具備していることは明らかである。
［相違点３］について
　引用例１発明において「張力調整用プーリ２８」をその両側に設けた軸部材３０によってどのように保持するかは、適宜設計する事項にすぎない。軸部材３０の一方はブラケツト１４に左右方向に摺動自在に取付けられたスライダ部材２６に固定されているが、これを、ブラケツト１４に形成された長孔３２に嵌装されている軸部材３０の他方と同様な保持・配置構造にすることは、当業者が容易に想到し得たものと認められる。そのようにしたものが、実質的に、「支持体の長手方向に上記ベルトに対して直交方向及び上記ベルトと同方向に夫々に設けた第１及び第２の長孔」という事項を具備し、「上記第１の長孔に滑車の軸を挿入し、第２の長孔内に滑車の本体部分を収納」して「上記滑車の軸をばねを介して装着」しているという事項を具備することは明らかである。
［相違点４］について
　引用例１発明は、コイルスプリング３８のばね圧に抗してブラケツト１４を、張力調整用プーリ２８がＶベルト１０に付勢する方向に位置調整することによって、Ｖベルト１０に対して張力を付与するようにしているが、コイルスプリング３８による張力を調整するために、コイルスプリング３８を張設する係合部材３６の位置調整をどのような手段によって行うかは、適宜設計する事項にすぎない。
　ここで、引用例２発明は、ベルトで駆動力を伝達する駆動伝達装置において、スプリング固定部材１３が駆動伝達装置の本体に取付けられたソレノイド１２の可動鉄心に取付けられ、ソレノイド１２に励磁電流を流してソレノイド１２を付勢してスプリング固定部材１３を吸引し、これによってスプリング１１の初期固定位置を移動させてスプリング１１に初期動作時と同様な引張力をあたえて張り車７によりベルト５に張力を加えるという事項を具備している。引用例１発明の上記手段として引用例２発明の上記事項を採用して、コイルスプリング３８を張設した係合部材をソレノイドの可動鉄心に取付け、ソレノイドの励磁電流によって係合部材を吸引してコイルスプリング３８による張力を調整するように構成することは、当業者が容易に想到し得たものと認められる。
　引用例２発明は、「張り車７は駆動系本体の軸８に回動自在に取付けられた支持部材９の先端部に取付けられており、スプリング１１がスプリング固定部材１３と張り車７を先端部に有する支持部材９との間に取付けられていて、ベルト５に張り車７を押付けてベルト５に張力を与えて」いるものであって、「ソレノイド１２に励磁電流を流してソレノイド１２を付勢してスプリング固定部材１３を吸引」するものであるが、引用例１発明は、コイルスプリング３８のばね圧に抗してブラケツト１４を、張力調整用プーリ２８がＶベルト１０に付勢する方向に位置調整するものであるから、引用例１発明に引用例２発明の上記事項を採用するにあたって、コイルスプリング３８を張設した係合部材を、張力調整用プーリ２８がＶベルト１０に付勢する方向に吸引するように構成することは当業者が容易に想到し得たものと認められる。
　このようにしたものが、実質的に、「上記滑車の軸をばねを介して装着された磁性体より成る可動体、この可動体を吸引する電磁石」を備え、「この滑車の本体部分を第２の長孔内を通過するベルトの上面に当接し、上記電磁石を励磁することにより、ばねのばね圧に抗して可動体を、上記滑車が上記ベルトに付勢する方向に吸引することによって、上記滑車の本体部分が引張られ、上記ベルトが押圧されて、上記ベルトに対して張力を付与する」ようにした「ベルト張力の電磁式自動調整装置」であることは明らかである。
　そして、本願発明の奏する作用効果も、引用例１発明、及び引用例２発明から、当業者が予測できる範囲内のものである。
（５）むすび
　以上のとおり、本願発明は、引用例１、及び引用例２に記載された発明に基づいて、当業者が容易に発明をすることができたものであるから、特許法第２９条第２項の規定により特許を受けることができない。
　よって、結論のとおり審決する。
　
　
　なお、審判請求の理由において「即ち、出願人の解釈では、発明の核心部分、即ち、電磁石で可動体の位置制御を行うという部分の共通性を考慮すると、引例２がむしろ、本願の進歩性の有無を判断する先行技術の出発点とすべきであり、引例１は補助的な文献とすべきであると解する。そこで、出願人は、以下、引例２を先行技術の出発点にした場合において、本願は、各引例から容易に導き得ぬ固有の創作性があることを論証するものとする。…」と主張しているが、「引例１」を「本願の進歩性の有無を判断する先行技術の出発点」としてはならない理由は何もない。「引例２を先行技術の出発点にした場合において、本願は、各引例から容易に導き得ぬ固有の創作性がある」と主張しても、それは、「本願発明は、引用例１、及び引用例２に記載された発明に基づいて、当業者が容易に発明をすることができたものである」という本審決の上記結論を否定する論拠にはなり得ない。